(57)【要約】  投資に不慣れな個人投資家等であっても運用実績などの客観的な基準に基づいて多数の投資モデルから適切なモデルを選択できるようにする。サーバが、ネットワークを介して接続される複数のユーザ端末から複数の投資モデル（ポートフォリオ及び投資戦略）を取得してデータベースに登録する工程（Ｓ１００）と、ＤＢに登録した各投資モデルについて、現実の取引市場における取引データに基づいて、過去及び／又は将来の仮想運用実績を算出する工程（Ｓ２００）と、各投資モデルの詳細や仮想運用実績（ランキング情報等）を、要求のあったユーザ端末に表示する工程（Ｓ３００）と、ユーザ端末から当該投資モデルによる実取引の申込みを受付けて必要な処理を実行する工程（Ｓ４００、Ｓ５００、Ｓ６００）と、利用された投資モデルの作成者に投資モデルの購入資金の一部を還元する工程（ステップＳ７００）とを備えた。【特許請求の範囲】
【請求項１】
複数のユーザ端末がネットワークを介して接続されるサーバが、このユーザ端末からポートフォリオ及び投資戦略を含む投資モデルを取得して投資モデルデータベース（ＤＢ）に格納する投資モデル登録工程と、
前記サーバが、前記投資モデルＤＢに格納された前記投資モデルを前記ユーザ端末に表示するための情報（投資モデル表示情報）を、当該情報の送信を要求した前記ユーザ端末に、前記ネットワークを経由して送信する投資モデル表示情報送信工程と
を備えたことを特徴とする投資モデルの管理方法。
【請求項２】
請求項１の投資モデル管理方法において、
前記サーバが、さらに、前記投資モデルＤＢに登録された投資モデルについて、現実の取引市場における取引データを取得し、この取引データに基づいて所定期間内の仮想運用実績を演算する運用実績演算工程を実行するものであり、
前記投資モデル表示情報送信工程は、各投資モデルの前記仮想運用実績を前記ユーザ端末に表示するための情報を、当該情報の送信を要求した前記ユーザ端末に、前記投資モデル表示情報と共にネットワークを経由して送信するものである
ことを特徴とする方法。
【請求項３】
請求項１の投資モデル管理方法において、
さらに、
前記サーバが、ユーザ端末に表示させたインタフェースを通じて、ネットワーク経由でユーザ端末から前記投資モデルＤＢに登録された特定の投資モデルの利用申込みを受付ける投資モデル利用申込受付工程と、
このサーバが、利用申込を受付けた特定の投資モデルに被利用ポイントを付与してポイントＤＢに登録する被利用ポイント登録工程と、を備え、
前記投資モデル利用申込受付工程は、投資モデル毎の被利用ポイントを表示したインタフェースを生成し、このインタフェースを通じてユーザ端末から投資モデルの利用申込みを受付けるものである
ことを特徴とする方法。
【請求項４】
請求項１の投資モデル管理方法において、
前記投資モデル登録工程は、ユーザ端末から取得した投資モデルが他の投資モデルをベースにして作成されたものである場合に、そのベースとなった他の投資モデルの識別情報に基づいて投資モデルＤＢから当該ベースモデルを検索し、そのベースモデルに被利用ポイントを付与してポイントＤＢに登録する工程を備え、
前記サーバは、さらに、前記被利用ポイントを表示したインタフェースを生成してユーザ端末に表示させ、このインタフェースを通じてネットワーク経由でユーザ端末から前記投資モデルＤＢに登録された特定の投資モデルの利用申込みを受付ける投資モデル利用申込受付工程を実行する
ことを特徴とする方法。
【請求項５】
請求項１の投資モデル管理方法において、
前記サーバが、さらに、
前記投資モデルＤＢに登録された投資モデルについて、現実の取引市場における取引データを取得し、この取引データに基づいて所定期間内の仮想運用実績を演算し、この仮想運用実績に基づいて所定の運用ポイントを付与してポイントＤＢに格納する運用ポイント演算工程と、
この運用ポイントを表示したインタフェースを生成してユーザ端末に表示させ、このインタフェースを通じてネットワーク経由でユーザ端末から前記投資モデルＤＢに登録された特定の投資モデルの利用申込みを受付ける投資モデル利用申込受付工程と
を実行することを特徴とする方法。
【請求項６】
請求項１の投資モデル管理方法において、
前記サーバが、さらに、
前記投資モデルＤＢに登録された２以上の投資モデルを対戦モデルとして抽出する対戦モデル抽出工程と、
抽出された２以上の投資モデルについて、所定期間内の現実の取引市場における取引データを取得し、この取引データに基づいて当該期間内の仮想運用実績を夫々演算して比較することで対戦の勝敗を決定する運用実績比較工程と
を実行することを特徴とする方法。
【請求項７】
請求項１の投資モデル管理方法において、
前記サーバが、さらに、前記投資モデルＤＢに投資モデルを登録したユーザの端末から、ネットワークを介して自己の投資モデルとの運用実績の対戦を希望する他の投資モデルの情報を取得して対戦申込を受付ける対戦受付工程を実行することを特徴とする方法。
【請求項８】
請求項７の投資モデル管理方法において、
前記サーバは、さらに、対戦を申込むユーザの端末から運用実績を演算する所定期間の選択を受付けて、対戦に係る複数の投資モデルについて前記選択された期間内の現実の取引市場における取引データを取得し、この取引データに基づいて当該期間内の仮想運用実績を夫々演算して比較することで対戦の勝敗を決定する運用実績比較工程を実行することを特徴とする方法。
【請求項９】
請求項８の投資モデル管理方法において、
前記運用実績比較工程は、現在及び／若しくは将来の所定期間内の現実の取引市場における取引データを取得し、この取引データに基づいて対戦に係る投資モデルについて当該期間内の仮想運用実績を夫々演算して比較することで対戦の勝敗を決定するものであることを特徴とする方法。
【請求項１０】
請求項７の投資モデル管理方法において、
前記サーバが、さらに、対戦に係る複数の投資モデルについて、対戦結果に基づいて所定の戦績ポイントを付与してポイントＤＢに格納する戦績ポイント登録工程と、
投資モデル毎の戦績ポイントを表示したインタフェースを生成してユーザ端末に表示させ、このインタフェースを通じてネットワーク経由でユーザ端末から前記投資モデルＤＢに登録された特定の投資モデルの利用申込みを受付ける投資モデル利用申込受付工程と
を実行することを特徴とする方法。
【請求項１１】
請求項１の投資モデル管理方法において、
前記サーバが、さらに、
前記投資モデルＤＢに登録された投資モデルに対するユーザからの評価を受付けるユーザ評価受付工程と、
受付けた評価をポイント換算してポイントＤＢに登録する評価ポイント登録工程と
この評価ポイントを表示したインタフェースを生成してユーザ端末に表示させ、このインタフェースを通じてネットワーク経由でユーザ端末から前記投資モデルＤＢに登録された特定の投資モデルの利用申込みを受付ける投資モデル利用申込受付工程と
を実行することを特徴とする方法。
【請求項１２】
請求項５の投資モデル管理方法において、
前記サーバが、さらに、投資モデル毎の被利用ポイント、運用ポイント、戦績ポイント若しくは評価ポイントの少なくとも何れかを集計して複数の投資モデルのポイントランキングを生成するポイントランキング生成工程を実行するものであり、
前記投資モデル利用申込受付工程は、生成されたポイントランキングを含むインタフェースを生成してユーザ端末に表示させ、このインタフェースを通じて、ネットワーク経由でユーザ端末から前記投資モデルＤＢに登録された特定の投資モデルの利用申込みを受付けるものである
ことを特徴とする方法。
【請求項１３】
請求項１の投資モデル管理方法において、
前記投資モデル格納工程は、投資モデルを投資モデルＤＢに登録したユーザから、当該投資モデルの更新申込を受付けて投資モデルＤＢを更新する投資モデル更新工程を備えたことを特徴する方法。
【請求項１４】
請求項１の投資モデル管理方法において、
前記サーバは、さらに、利用申込を受付けたユーザについて、申込に係る投資モデルの利用条件として投資モデルを改変する際の改変権限情報をユーザデータベース（ＤＢ）に登録する改変権限情報登録工程と、
ユーザＤＢに登録された改変権限情報を当該ユーザ端末にネットワーク経由で出力する改変権限情報出力工程と
を実行することを特徴とする方法。
【請求項１５】
請求項１の投資モデル管理方法において、
前記サーバは、さらに、前記利用申込を受付けたユーザの端末から当該投資モデルを利用した投資の申込を受け付けた場合に、ネットワーク経由で証券会社の証券取引処理システムに接続して当該投資モデルとユーザ情報とを伝送する投資申込受付工程を実行することを特徴とする方法。
【請求項１６】
請求項１の投資モデル管理方法において、
前記ユーザ端末は、前記サーバと双方向通信が可能な通信デバイスと表示装置としてのテレビジョン受像機とを含むものであり、
前記投資モデル登録工程は、前記通信デバイスからネットワーク経由で取得した投資モデルを投資モデルＤＢに格納し、前記投資モデル表示情報送信工程は、投資モデル表示情報の送信を要求した前記通信デバイスに当該情報をネットワークを経由して送信するものである
ことを特徴とする投資モデルの管理方法。
【請求項１７】
複数のユーザの端末がネットワークを介して接続され、ポートフォリオ及び投資戦略を含む投資モデルを管理するサーバであって、
前記ユーザ端末から取得した投資モデルを格納する投資モデルデータベース（ＤＢ）と、
前記投資モデルＤＢに格納された前記投資モデルを前記ユーザ端末に表示するための情報（投資モデル表示情報）を、当該情報の送信を要求した前記ユーザ端末に、前記ネットワークを経由して送信する投資モデル表示情報送信手段と
を備えたことを特徴とする投資モデルの管理サーバ。
【請求項１８】
請求項１７の投資モデル管理サーバにおいて、
さらに、前記投資モデルＤＢに登録された投資モデルについて、現実の取引市場における取引データを取得し、この取引データに基づいて所定期間内の仮想運用実績を演算する運用実績演算手段を備え、
前記投資モデル表示情報送信手段は、各投資モデルの前記仮想運用実績を前記ユーザ端末に表示するための情報を、当該情報の送信を要求した前記ユーザ端末に、前記投資モデル表示情報と共にネットワークを経由して送信するものである
ことを特徴とするサーバ。
【請求項１９】
請求項１７の投資モデル管理サーバにおいて、
さらに、
ユーザ端末に表示させたインタフェースを通じて、ネットワーク経由でユーザ端末から前記投資モデルＤＢに登録された特定の投資モデルの利用申込みを受付ける投資モデル利用申込受付手段と、
このサーバが、利用申込を受付けた特定の投資モデルに被利用ポイントを付与してポイントＤＢに登録する被利用ポイント登録手段と、を備え、
前記投資モデル利用申込受付手段は、投資モデル毎の被利用ポイントを表示したインタフェースを生成し、このインタフェースを通じてユーザ端末から投資モデルの利用申込みを受付けるものである
ことを特徴とするサーバ。
【請求項２０】
請求項１７の投資モデル管理サーバにおいて、
さらに、ユーザ端末から取得した投資モデルが他の投資モデルをベースにして作成されたものである場合に、そのベースとなった他の投資モデルの識別情報に基づいて投資モデルＤＢから当該ベースモデルを検索し、そのベースモデルに被利用ポイントを付与してポイントＤＢに登録する手段と、
前記被利用ポイントを表示したインタフェースを生成してユーザ端末に表示させ、このインタフェースを通じてネットワーク経由でユーザ端末から前記投資モデルＤＢに登録された特定の投資モデルの利用申込みを受付ける投資モデル利用申込受付手段を備えた
ことを特徴とするサーバ。
【請求項２１】
請求項１７の投資モデル管理サーバにおいて、
さらに、前記投資モデルＤＢに登録された投資モデルについて、現実の取引市場における取引データを取得し、この取引データに基づいて所定期間内の仮想運用実績を演算し、この仮想運用実績に基づいて所定の運用ポイントを付与してポイントＤＢに格納する運用ポイント演算手段と、
この運用ポイントを表示したインタフェースを生成してユーザ端末に表示させ、このインタフェースを通じてネットワーク経由でユーザ端末から前記投資モデルＤＢに登録された特定の投資モデルの利用申込みを受付ける投資モデル利用申込受付手段と
を備えたことを特徴とするサーバ。
【請求項２２】
請求項１７の投資モデル管理サーバにおいて、
さらに、
前記投資モデルＤＢに登録された２以上の投資モデルを対戦モデルとして抽出する対戦モデル抽出手段と、
抽出された２以上の投資モデルについて、所定期間内の現実の取引市場における取引データを取得し、この取引データに基づいて当該期間内の仮想運用実績を夫々演算して比較することで対戦の勝敗を決定する運用実績比較手段と
を備えたことを特徴とするサーバ。
【請求項２３】
請求項１７の投資モデル管理サーバにおいて、
さらに、前記投資モデルＤＢに投資モデルを登録したユーザの端末から、ネットワークを介して自己の投資モデルとの運用実績の対戦を希望する他の投資モデルの情報を取得して対戦申込を受付ける対戦受付手段を備えたことを特徴とするサーバ。
【請求項２４】
請求項２３の投資モデル管理サーバにおいて、
さらに、対戦を申込むユーザの端末から運用実績を演算する所定期間の選択を受付けて、対戦に係る複数の投資モデルについて前記選択された期間内の現実の取引市場における取引データを取得し、この取引データに基づいて当該期間内の仮想運用実績を夫々演算して比較することで対戦の勝敗を決定する運用実績比較手段を備えたことを特徴とするサーバ。
【請求項２５】
請求項２４の投資モデル管理サーバにおいて、
前記運用実績比較手段は、現在及び／若しくは将来の所定期間内の現実の取引市場における取引データを取得し、この取引データに基づいて対戦に係る投資モデルについて当該期間内の仮想運用実績を夫々演算して比較することで対戦の勝敗を決定するものであることを特徴とするサーバ。
【請求項２６】
請求項２３の投資モデル管理サーバにおいて、
さらに、対戦に係る複数の投資モデルについて、対戦結果に基づいて所定の戦績ポイントを付与してポイントＤＢに格納する戦績ポイント登録手段と、
投資モデル毎の戦績ポイントを表示したインタフェースを生成してユーザ端末に表示させ、このインタフェースを通じてネットワーク経由でユーザ端末から前記投資モデルＤＢに登録された特定の投資モデルの利用申込みを受付ける投資モデル利用申込受付手段と
を備えたことを特徴とするサーバ。
【請求項２７】
請求項１７の投資モデル管理サーバにおいて、
さらに、
前記投資モデルＤＢに登録された投資モデルに対するユーザからの評価を受付けるユーザ評価受付手段と、
受付けた評価をポイント換算してポイントＤＢに登録する評価ポイント登録手段と、
この評価ポイントを表示したインタフェースを生成してユーザ端末に表示させ、このインタフェースを通じてネットワーク経由でユーザ端末から前記投資モデルＤＢに登録された特定の投資モデルの利用申込みを受付ける投資モデル利用申込受付手段と
を備えたことを特徴とするサーバ。
【請求項２８】
請求項２１の投資モデル管理サーバにおいて、
さらに、投資モデル毎の被利用ポイント、運用ポイント、戦績ポイント若しくは評価ポイントの少なくとも何れかを集計して複数の投資モデルのポイントランキングを生成するポイントランキング生成手段を備え、
前記投資モデル利用申込受付手段は、生成されたポイントランキングを含むインタフェースを生成してユーザ端末に表示させ、このインタフェースを通じて、ネットワーク経由でユーザ端末から前記投資モデルＤＢに登録された特定の投資モデルの利用申込みを受付けるものである
を備えたことを特徴とするサーバ。
【請求項２９】
請求項１７の投資モデル管理サーバにおいて、
さらに、投資モデルを前記投資モデルＤＢに登録したユーザから、当該投資モデルの更新申込を受付けて投資モデルＤＢを更新する投資モデル更新手段を備えたことを特徴するサーバ。
【請求項３０】
請求項１７の投資モデル管理サーバにおいて、
さらに、利用申込を受付けたユーザについて、申込に係る投資モデルの利用条件として投資モデルを改変する際の改変権限情報をユーザデータベース（ＤＢ）に登録する改変権限情報登録手段と、
ユーザＤＢに登録された改変権限情報を当該ユーザ端末にネットワーク経由で出力する改変権限情報出力手段と
を備えたことを特徴とするサーバ。
【請求項３１】
請求項１７の投資モデル管理サーバにおいて、
さらに、前記利用申込を受付けたユーザの端末から当該投資モデルを利用した投資の申込を受け付けた場合に、ネットワーク経由で証券会社の証券取引処理システムに接続して当該投資モデルとユーザ情報とを伝送する投資申込受付手段を備えたことを特徴とするサーバ。
【請求項３２】
請求項１７の投資モデル管理サーバにおいて、
前記ユーザ端末は、前記サーバと双方向通信が可能な通信デバイスと表示装置としてのテレビジョン受像機とを含むものであり、
前記投資モデルＤＢは、前記通信デバイスからネットワーク経由で取得した投資モデルを格納し、前記投資モデル表示情報送信手段は、投資モデル表示情報の送信を要求した前記通信デバイスに当該情報をネットワークを経由して送信するものである
ことを特徴とする投資モデルの管理サーバ。
【発明の詳細な説明】
【技術分野】
【０００１】
本発明は、ユーザの端末がネットワークを介して接続されるサーバによって、ポートフォリオ及び投資戦略を含む投資モデルを管理する方法及び投資モデルを管理するサーバに関する。
【背景技術】
【０００２】
従来より、遊戯目的若しくは投資のトレーニングの目的で、仮想的に行った投資のパフォーマンス（運用結果）を競う投資シミュレーションゲーム（ソフトウェア）が提供されている。また、例えば以下の特許文献１、２のように、この投資ゲームにおいて、実際の株価などの情報に基づいて運用益を演算してランキングするなど、現実の投資に近い状況を提供して、利用者の射幸心を高めたり投資テクニックを評価することも提案されている。【０００３】
また、例えば、以下の特許文献３、４のように、仮想投資を実際の投資活動に結び付けて投資を促進させる仕組みも提案されている。【０００４】
【特許文献１】特開２００２−３５４２３号公報
【特許文献２】特開２００２−４１８０９号公報
【特許文献３】特開２００１−５８６１号公報
【特許文献４】特開２００４−３０２７４号公報
【発明の開示】
【発明が解決しようとする課題】
【０００５】
ところで、従来の投資シミュレーションゲームや実際の投資においては、ゲームに参加するプレイヤや投資家が独自の経験・知識やアナリストの分析結果などに基づいて投資モデルを策定して投資（バーチャル／リアル）を行うことになる。ここで、投資モデルには、投資銘柄や銘柄毎の金額（ポートフォリオ）、投資戦略（指値・逆指値での売り・買い注文、投資のタイミングや金額の割振り等）が含まれる。このような投資モデルは、一部の経験豊富な投資家やベテランプレイヤ以外の者にとっては策定すること自体容易ではない。また、仮にベテランプレイヤであったとしても常時投資モデルの見直しを行い続けることは容易ではない。【０００６】
また、上記の特許文献３、４の仕組みを利用する場合でも、投資資金のうち、どの銘柄にどのタイミングでいくらを投資し、どのような状態になったら追加投資若しくは損切りを行うか、などの投資モデルは自分で策定することになる。例えば、強気の投資モデルについてある期間において良好なパフォーマンスが得られた場合でも、投資環境が変動すれば逆の結果になるおそれがある。そのため、このような仕組みによっても、「投資リスク（元本割れ）の回避・低減」という精神的な障壁を取り除いて潜在的な投資家層を実際の投資行動に移行させるには未だ十分とは言えない。【０００７】
一方、証券アナリスト（リサーチ・アナリスト、ファンド・マネージャ、投資ストラテジスト、投資アドバイザ、マーケット・アナリスト等を含む）などの投資データの分析結果や投資価値の評価、投資助言などの情報は投資モデルを策定する際の有益な参考情報として広く利用されている。しかし、各アナリストの実績や分析の傾向、専門分野などを客観的に評価する基準や情報が十分ではないため、潜在的な投資家等が自身の投資モデルを策定する場合には、一部のアナリストのアドバイスなどを信用するしかない。そして、投資結果は全て自己の責任であり、運用損が生じた場合でもアナリスト等の責任を問うことはできないため、結局、個人投資家は投資意欲を失ったり、投資リスクを最小限に抑えるために当初から投資額を低く設定することが少なくない。【０００８】
本発明は、上記の課題を解決するためになされたもので、時間的制約のある、あるいは投資に不慣れな個人投資家等であっても運用実績などの客観的な基準に基づいて多数の投資モデルから適切なモデルを選択することができる投資モデル管理方法及び管理サーバを提供することを目的とする。
【課題を解決するための手段】
【０００９】
本発明の第１の主要な観点によれば、複数のユーザ端末がネットワークを介して接続されるサーバが、このユーザ端末からポートフォリオ及び投資戦略を含む投資モデルを取得して投資モデルデータベース（ＤＢ）に格納する投資モデル登録工程と、前記サーバが、前記投資モデルＤＢに格納された前記投資モデルを前記ユーザ端末に表示するための情報（投資モデル表示情報）を、当該情報の送信を要求した前記ユーザ端末に、前記ネットワークを経由して送信する投資モデル表示情報送信工程とを備えたことを特徴とする投資モデルの管理方法が提供される。【００１０】
また、本発明の第２の主要な観点によれば、複数のユーザの端末がネットワークを介して接続され、ポートフォリオ及び投資戦略を含む投資モデルを管理するサーバであって、前記ユーザ端末から取得した投資モデルを格納する投資モデルデータベース（ＤＢ）と、前記投資モデルＤＢに格納された前記投資モデルを前記ユーザ端末に表示するための情報（投資モデル表示情報）を、当該情報の送信を要求した前記ユーザ端末に、前記ネットワークを経由して送信する投資モデル表示情報送信手段とを備えたことを特徴とする投資モデルの管理サーバが提供される。【００１１】
以上のような構成によれば、他人が作成した投資モデルを利用できるようにしたので、その投資モデルに基づいて実際の投資を行ったり、自己流にアレンジして新たな投資モデルを作成することができる。また、登録された複数の投資モデル同士について過去や将来の所定期間内の実際の取引データに適用して運用実績を演算し、これらを比較できるようにすれば、投資モデルの優劣の客観的な情報を提供できる。さらに、被利用履歴や上記運用実績、対戦成績などに応じて各投資モデルにポイントを付与し、このポイントをランキングすることによっても、投資モデルを客観的に評価する基準を提供できる。個人投資家などのユーザは、このような基準に基づいて投資モデルを選択して利用（購入や改変等）することができるようになる。【００１２】
また、過去や将来の取引データに基づいて投資モデルの仮想パフォーマンスをシミュレーションすることで、投資モデルの評価を瞬時に得ることができる。ここで、ユーザが他人の投資モデルを利用したい場合でも、このユーザの端末に投資モデル自体を送信するのではなく、投資モデルを改変するための改変権限情報（ＩＤ・パスワードなど）を送信するのが好ましい。これにより、特定の投資モデルの囲い込みや秘匿を防止し、オープンな環境下で多数のユーザが自由に投資モデルに変更を加えて順次登録していき、より強い（儲けられる、損をしない）投資モデルを構築させることができる。【００１３】
ここで、本明細書において、「投資モデル」とは、ポートフォリオ及び投資戦略を含む概念である。ポートフォリオには、株券や債券などの銘柄や属性（上場／公開、国内／外、格付等）、銘柄毎の投資金額、自己資金の中の投資金額の組入比率の情報が含まれる。また、投資戦略には、売買の手法やタイミング・条件などの投資方法が含まれる。これらの情報に基づいて仮想・現実の投資を行うことができる。【００１４】
「投資モデル表示情報」は、投資モデルの電子ファイルそのものではなく、投資モデルを単に表示するためのＨＴＭＬ情報や閲覧権限の情報（接続ＩＤなど）等である。「投資モデルの利用」には、その投資モデルを購入して実取引を行うこと、投資モデルをサーバ上で閲覧若しくは改変する権限を取得すること、他人の投資モデルに対戦を行わせること、投資モデルデータを購入して自己の端末にダウンロードすること、の何れもが含まれる。ユーザは、サーバや自己の端末上で投資モデルの内容を確認しながらこのモデルに従って仮想・現実の投資を行うことができる。また、サーバ上で他の投資モデルの一部を改変したり、改変せずにそのまま流用して自己の投資モデルとして登録することができる。【００１５】
「仮想運用実績」は、運用実績を直接表す情報（例えば、仮想運用実績そのもの）の他に、運用実績を間接的に表す情報（例えば各投資モデルを実績の良いもの順に並べたランキング情報や、複数の投資モデルの運用実績の差など）でもよい。【００１６】
また、「ユーザ」には、自ら投資モデルを作成してＤＢに登録するユーザ（投資モデル作成者＝投資ゲームのプレイヤ）と、自らは投資モデルを作成せず、ＤＢに登録された他人の投資モデルを購入して実投資を行うユーザ（投資家）とに大別されるが、これらの中間として、自身の投資モデルを作成するために、一時的に他人の投資モデルを利用するユーザ（潜在的な投資モデル作成者）なども存在する。ただし、一人のユーザが、投資モデルの作成者としてサーバに投資モデルを登録すると共に、他人あるいは自分が登録した投資モデルを実取引に利用する投資家となる場合もある。
【発明の効果】
【００１７】
本発明によれば、投資に不慣れな個人投資家等であっても運用実績などの客観的な基準に基づいて多数の投資モデルから適切なモデルを選択することができる投資モデル管理方法及び管理サーバを得ることができる。【００１８】
本発明の新規な特徴は、特許請求の範囲に記載されている。しかしながら、発明そのもの及びその他の特徴と効果は、添付図面を参照して具体的な実施例の詳細な説明を読むことにより容易に理解される。
【図面の簡単な説明】
【００１９】
【図１】図１は、本発明の実施形態の全体的な流れを示すフローチャートである。
【図２】図２は、仮想運用実績の算出パターンを説明する図である。
【図３】図３は本発明の一実施形態の概要を示すネットワーク構成図である。
【図４】図４は、本実施形態の投資モデル管理サーバの概略構成を示す機能ブロック図である。
【図５】図５は、ポイントテーブルに記述されるデータの例を示す図である。
【図６】図６は、投資モデルの入力インタフェースの例を示す図である。
【図７】図７は、対戦申込受付画面の例を示す図である。
【図８】図８は、ポートフォリオ入力初期画面の例を示す図である。
【図９】図９は、銘柄や金額の設定画面の例を示す図である。
【図１０】図１０は、投資戦略入力初期画面の例を示す図である。
【図１１】図１１は、売付／買付基本設定画面の例を示す図である。
【図１２】図１２は、投資期間内の買付のタイミング及び金額の設定画面の例を示す図である。
【図１３】図１３は、執行条件の入力画面の例を示す図である。
【図１４】図１４は、停止条件付きオーダー基本コンテクスト設定画面の例を示す図である。
【図１５】図１５は、チャートを条件として設定する場合の画面の例を示す図である。
【図１６】図１６は、投資モデルの新規登録工程を示すフローチャートである。
【図１７】図１７は、投資モデルの改変登録工程を示すフローチャートである。
【図１８】図１８は、対戦モードの処理工程を示すフローチャートである。
【符号の説明】
【００２０】
１…投資モデル管理サーバ
２…ユーザ
３…ユーザ端末
４…投資ゲーム運営事業者
５…証券会社
６…証券取引処理システム
７…顧客情報管理システム
８…マーケット
１１…ＣＰＵ
１２…バス
１３…ＲＡＭ
１４…ＲＯＭ
１５…ＨＤＤ
１６…入出力インタフェース
１７…出力部
１８…入力部
１９…通信部
２０…リムーバブル記録媒体
２１…ドライブ
２２…ユーザマスタファイル
２２ａ…ユーザデータベース（ＤＢ）
２２ｂ…ポイントデータベース（ＤＢ）
２３…投資モデルデータベース（ＤＢ）
２４…基本投資モデルマスタファイル
２５…取引データファイル
２６…ポイントテーブル
２７…プログラム格納部
３１…インタフェース生成部
３２…投資モデル受付部
３３…投資モデル利用申込受付部
３４…投資モデル表示情報出力部
３５…運用実績演算部
３６…対戦処理部
３７…ユーザ評価受付部
３８…ポイント処理部
３９…ランキング生成部
４０…投資申込受付・処理部
４１…取引データ取得部
４２…対戦申込受付部
４３…対戦モデル抽出部
４５…「ポートフォリオ入力」ボタン
４６、５２…ビューワ画面
４７…「ＣＯＮＳＯＬＥ」欄
４７ａ…コントロールバー
４７ｂ…レーダーチャート
４８、５３…ポート一覧
４９…タブ
５０…「投資戦略入力」ボタン
５１…「ＣＯＮＳＯＬＥ」欄
５１ａ…ラジオボタン
５１ｂ…コントロールバー
５５…「対戦する」ボタン
【発明を実施するための最良の形態】
【００２１】
以下、本発明の実施の形態を図面に基づき説明する。以下においては、従来周知の投資ゲームのオプション機能として、投資モデルの登録と他人の投資モデルの利用を可能にした例について説明する。【００２２】
（本発明の概要）【００２３】
まず、図１を参照して、本発明の理解をより容易にするため、本発明の実施形態の全体的な流れを説明する。【００２４】
本実施形態に係るサーバ（後述の投資モデル管理サーバ１に相当）は、複数のユーザ端末（後述のユーザ端末３に相当）から、ネットワーク経由で、複数の投資モデル（ポートフォリオ及び投資戦略）を取得してデータベース（後述の投資モデルＤＢ２３に相当）に登録する（ステップＳ１００）。【００２５】
次いで、このサーバは、ＤＢに登録した各投資モデルについて、現実の取引市場における取引データに基づいて、所定期間内（過去及び／又は将来）の仮想運用実績を算出する（ステップＳ２００）。【００２６】
また、このサーバは、各投資モデルの詳細や仮想運用実績（運用実績を直接・間接に示す情報）を、要求のあったユーザ端末に表示する（ステップＳ３００）。この仮想運用実績を参考にして、ユーザは、実取引で利用したい投資モデルを選択し、ユーザ端末を利用してサーバに当該投資モデルの購入を申し込む（ステップＳ４００）。【００２７】
投資モデルを購入したユーザは、ユーザ端末を介してサーバに対して当該投資モデルによる実取引を申し込み、サーバは必要な処理を実行する（ステップＳ５００、Ｓ６００）。【００２８】
また、このサーバは、このように他のユーザに利用された投資モデルの作成者に対して、当該投資モデルの購入資金（利用料金）の一部を還元するための必要な処理を実行する（ステップＳ７００）。このようなインセンティブを与えることで、ユーザに対してより多くの、またより実利的な投資モデルの登録を促すことができる。登録される投資モデルが多いほど、より優秀なモデルが誕生すると推測される。この点、証券会社が作成する投資モデルの数には限りがあるし、また、ユーザはその投資モデルの良し悪しの判断ができない。【００２９】
一方、ユーザは、自ら投資モデルを作成しなくても、登録された多数の投資モデルから気に入った投資モデルを購入するだけで容易に実取引を行うことができる。従って、投資に不慣れあるいは未経験のユーザであっても、簡易に投資を行うことができる。このように、簡易に投資を行うことを可能として、投資に対する敷居を低くして、多くの個人投資家を獲得できるようになる。【００３０】
（仮想運用実績の算出パターン）【００３１】
ここで、図２を参照して、前記ステップＳ２００における仮想運用実績の算出パターンについて説明する。この図では、サーバが運用実績を算出する時点若しくはユーザ端末がサーバに接続して運用実績の算出を申込む時点を現在：ｔ０とし、これよりも過去の任意の時期ｔ−１、ｔ−２と、将来の任意の時期ｔ１、ｔ２とを夫々始期及び終期とする３つの期間Ｔ１〜Ｔ３における仮想運用実績を算出するパターンを例示している。これらの各期間毎に、各投資モデル毎に仮想運用実績Ｘ−Ｔ１〜Ｚ−Ｔ３が必要に応じて算出される。【００３２】
Ｔ１における仮想運用実績Ｘ−Ｔ１、Ｙ−Ｔ１、Ｚ−Ｔ１は、過去の期間（ｔ−２〜ｔ−１）の取引データを利用して過去の仮想運用実績を算出する場合である。また、Ｔ２における仮想運用実績Ｘ−Ｔ２、Ｙ−Ｔ２、Ｚ−Ｔ２は、過去（ｔ−１）から現在（ｔ０）を通過して将来（ｔ１）に至る期間の取引データを利用して仮想運用実績を算出する場合である。さらに、Ｔ３における仮想運用実績Ｘ−Ｔ３、Ｙ−Ｔ３、Ｚ−Ｔ３は、将来の期間（ｔ１〜ｔ２）の始期（ｔ１）が到来した場合に、取引データを随時取得して運用実績をリアルタイムで算出していくパターンである。ここで、将来の期間を含む期間（Ｔ１、Ｔ２）における運用実績を算出する場合は、過去の取引データに日々発生する新たな取引データを随時取得・追加して毎日などの短期間の運用実績をリアルタイムで算出して蓄積していき、期間終了後にそれらを合算する。【００３３】
このように、過去及び／又はリアルタイムの取引データを利用した仮想運用実績を蓄積していくことで、各投資モデルについて、過去の取引データのみ（Ｔ１）、リアルタイムの取引データのみ（Ｔ３）、及び過去とリアルタイムの双方の取引データ（Ｔ２）に基づく仮想運用実績の累積集計を算出することができる。【００３４】
従って、ユーザは、目的に応じて、過去及び／又はリアルタイムの取引データを利用した仮想運用実績及び／又は累積集計を参照して、所望の投資モデルを見つけることができる。この場合の利用目的は、より良い（強い・儲けられる・損をしない）投資モデルを作成するためであってもよいし、実取引で使用するためであってもよい。【００３５】
ここで、過去の取引データに基づいて仮想運用実績を算出する場合（Ｔ１）は、直ちに結果を得ることができるため、ユーザは、いつでもサーバに対して仮想運用実績の演算を行わせることができる。その結果、ユーザは、登録された投資モデルの評価を瞬時に行うことができる。【００３６】
一方、リアルタイムのデータに基づいて仮想運用実績を算出する場合（Ｔ２、Ｔ３）は、時間軸上のユーザの現在位置ｔ０が夫々の期間の終期ｔ１、ｔ２に到達するまで待つ必要がある。しかし、ユーザの現在位置ｔ０が夫々の期間の終期ｔ１、ｔ２以降であれば、ユーザは、Ｔ１と同様に、待ち時間なしに運用実績を参照できることになる。リアルタイムの取引データに基づく仮想運用実績が優れている投資モデルは、直近の将来においても優れていると推測されるので、ユーザにとって、投資モデル選択の有効な材料となる。【００３７】
なお、どのようなパターンで投資モデルの仮想運用実績を算出させるかは、ユーザが任意に選択できるようにしてもよいし、サーバの運営者側で設定してもよい。また、過去の複数の期間（１ヶ月間、半期など）における仮想運用実績を予め算出しておき、ユーザから任意の期間が指定された場合に、算出しておいた各期間毎の運用実績を集計して提供するようにしてもよい。これにより、運用実績の算出時間をより短縮できることになる。【００３８】
（全体構成）【００３９】
次に、図３のネットワーク構成図を参照して、本発明の一実施形態の概要を説明する。
本発明に係る投資モデル管理サーバ１は、インターネットなどの公衆回線Ｎを通じて複数のユーザ２の端末３に投資ゲームを提供する投資ゲーム運営事業者４に設置され、投資ゲームの一環として、このネットワークＮを介してユーザ端末３から取得した投資モデルを管理する機能を有している。この管理サーバ１は、この事業者４が提携する証券会社５の証券取引処理システム６と専用の通信ネットワークを介して接続される。なお、投資ゲーム自体は従来周知であるため、以下においては、投資モデルの管理機能に限定して説明する。また、ファイアウォール、ゲートウェイサーバなどの周知のネットワーク構成も図示及び説明を省略する。【００４０】
証券会社５は、顧客情報管理システム７によって顧客（投資家）であるユーザ２がこの証券会社５に開設した証券取引口座やユーザ２が選択した投資モデル（ポートフォリオや投資戦略など）を含む顧客情報を管理する。また、証券取引処理システム６は、投資モデル管理サーバ１からユーザ２（投資家）の投資モデルを取得して投資指示を受付けた場合に、このモデルに含まれる投資対象（銘柄等）について投資モデルで設定されたタイミング・手法でマーケット８のシステムに対して証券売買等の指示を行うものである。さらに、定期的に若しくは後述する取引データ取得部４１からの指示を受付けた場合に、過去の所定期間における取引データを投資モデル管理サーバ１に送信する機能も備えている。【００４１】
ユーザ端末３としては、前記サーバ１と双方向通信が可能な通信デバイスを有し、汎用のテレビジョン受像機に接続して使用するテレビ接続型端末３ａや、汎用のパーソナルコンピュータ（ＰＣ）３ｂ、Ｗｅｂブラウザ機能付きの携帯電話、テレビジョン受像機の端子に接続することでインターネット環境を創出できる通信機能付のゲーム端末などを利用できる。一般家庭への普及率や認知度、手軽さ、ユーザの親近感などの面ではテレビ接続型端末３ａを採用するのが好ましい。このようなユーザ端末３としては、モニタ（ディスプレイ装置）と通信機能を備えた専用端末との一体型や、専用端末に外部モニタを接続するセパレート型の何れも採用可能である。【００４２】
後述するように、本実施形態における主要な演算処理は投資モデル管理サーバ１が行うが、一部をユーザ端末３に行わせてもよい。またこの管理サーバ１は、ユーザ端末３との間で暗号化通信を行う。本実施形態では、バーチャルな投資ゲームから実取引にシームレスに移行することができるように設計されるが、実取引はユーザ端末３から直接ではなく、投資モデル管理サーバ１を介して証券会社５の証券取引処理システム６に自動発注し、注文の執行も当該証券会社５が行う。【００４３】
投資モデル管理サーバ１は、証券会社５の子会社や他の事業者（通信キャリア、ＩＳＰ：Internet Services Provider、ゲームポータルサイト運営事業者、専用の通信端末の製造開発を行う特定の事業者など）との合弁（共同）事業体（ＪＶ：Ｊｏｉｎｔ  Ｖｅｎｔｕｒｅ）、若しくは複数の投資ゲーム運営事業者４や複数の証券会社５から投資モデルの管理を委託された管理センタに設置することもできる。【００４４】
（投資モデル管理サーバの概略構成）【００４５】
上記の投資モデル管理機能を奏するため、本実施形態の投資モデル管理サーバ１は、図４に示すように、汎用のコンピュータシステムのハードウェアとこれにインストールされたソフトウェアとで構成される。【００４６】
具体的には、図４（Ａ）に示すように、このコンピュータに内蔵されたＣＰＵ１１にバス１２を介してＲＡＭ１３、ＲＯＭ１４、ＨＤＤ１５及び入出力インタフェース（Ｉ／Ｆ）１６が接続されている。入出力Ｉ／Ｆ１６には、ＬＣＤディスプレイなどの出力部１７、マウスやキーボードなどの入力部１８、モデムなどの通信部１９及びＣＤ−ＲＯＭやＤＶＤ−ＲＯＭなどのリムーバブル記録媒体２０用のドライブ２１が夫々接続されている。【００４７】
ＨＤＤ１５及びＲＯＭ１４の記憶領域は、図４（Ｂ）に示すように、ユーザマスタファイル２２、投資モデルデータベース（ＤＢ）２３、基本投資モデルマスタファイル２４、取引データファイル２５、ポイントテーブル２６及びプログラム格納部２７を備えている。これらの各ファイル等（２２〜２７）は、前記ＨＤＤ１５などの記憶装置に確保された一定の記憶領域に格納される。また、プログラム格納部２７以外のファイル等２２〜２６は、後述する各機能部の演算結果や、通信部１９を介してユーザ端末３や証券会社５の証券取引処理システム６などの外部機関から取得した情報が随時記述・更新される。また、これらの各ファイル等２２〜２６はユーザ２を一意で識別可能なＩＤで相互にデータの参照が可能なリレーショナルデータベース（ＤＢ）で構成されている。【００４８】
ユーザマスタファイル２２は、ユーザ２の書誌事項（メールアドレス、ハンドルネーム、「名人」「マイスター」「鉄人」「○○王」等の称号、など）、決済方法（金融機関の口座情報や、クレジットカード番号など）、及びユーザ２が取引委託契約を締結した証券会社５の情報を、例えば投資ゲームサイトのログイン情報（ユーザＩＤ・パスワード等）に関連付けて格納するものである。ユーザマスタファイル２２に含まれるユーザＤＢ２２ａは常用する投資モデルを投資モデルＤＢ２３から検索したり戦績を検索したりする場合のショートカットキーの役割を果たす。また、後述するように、ユーザ２が利用を申し込んだ特定の投資モデルについての利用条件（改変権限情報、実取引での利用権限情報、閲覧期間、閲覧回数、閲覧可能な情報等）も登録される。【００４９】
また、後述するように、投資モデルに付与された各種のポイントや、ベースとなった投資モデルの情報、そのモデルの作成者や運用実績、ランキングの最高位などはこのユーザマスタファイル２２のポイントデータベース（ＤＢ）２２ｂに登録される。このような情報を登録し、類型分類しておくことで、ユーザ２は、興味がある投資モデル、あるいはその類型がどのような市場環境の時に強い／弱い傾向があるかや、リスク／リターンの程度、作成者の知名度（称号等）などの情報も総合的に判断して購入（利用）するかや評価レベルを決めることができる。【００５０】
投資モデルＤＢ２３は、ユーザ２の端末３から取得した投資モデルを当該ユーザ２のＩＤに関連付けて格納するもので、投資モデル毎にＩＤ番号が割り振られる。ＩＤ番号は基本ＩＤとベースとなった投資モデル（ベースモデル）の改変により作成された派生モデルを意味する枝番から構成される。ここで、１ユーザの登録件数を無制限にすると「ダメ元」「数打てば当たる」の意図で無造作に作成された種々のタイプのモデルが登録されるおそれがあり、サーバ１に過度な負担をかけることになる。そのため、登録可能件数をユーザ２毎に制限したり、件数に応じた登録料を課金するのが好ましい。また、所定周期で、既定のポイント数に達していない投資モデルを検索して抹消するようにしてもよい。【００５１】
一方で、ユーザ２は、経済市況や企業動向などに応じて投資モデルを絶えずリニューアルして強いモデルを維持することが期待される。そのため、ユーザ２からユーザＤＢ２２ａに登録済の投資モデルの更新申込があった場合には、新たな投資モデルの登録ではなく、登録済み投資モデルのＩＤを引き継いで投資モデルＤＢ２３を更新することが好ましい。この場合には、蓄積されたポイントは引き継がれる。これに対して、他のユーザが開発した登録済のモデルを改変して登録する場合には、例外なく、基本ＩＤを引き継いだ上で枝番を追加したＩＤ番号が新たに付与され、基本ＩＤ毎に類型分類される。この場合には、基本投資モデルのポイントは引き継がれず、常に０からスタートする。【００５２】
基本投資モデルマスタファイル２４は、投資モデルの作成に不慣れなユーザ２でも簡単に投資モデルを作成できるように、投資スタイル別に用意された複数のモデル・ポートフォリオや、シミュレーションゲームとして対応可能な複数のモデル投資戦略を夫々格納するものである。ユーザ２は、モデル・ポートフォリオやモデル投資戦略を組み合わせて自己の投資モデルとして登録したり、部分的に改変して登録することができる。このモデル・ポートフォリオ及びモデル投資戦略の利用は無償とすることが好ましい。【００５３】
モデル・ポートフォリオとしては、例えば、一般的な「Ｔｏｐｉｘ」「日経２２５」などの他、環境会計を導入したポートフォリオや、業界／商品シェアの高い銘柄を集めたポートフォリオなどの、投資の動機や目的に応じた複数のポートフォリオを用意しておく。【００５４】
また、モデル投資戦略としては、例えば、一定額を定期的に購入する「ドルコスト平均法」、前回取引時よりも高ければ買う（安ければ売る）という売買条件、成り行きでの全銘柄即時一斉買付け、指定順序での買付け、パフォーマンスの良い銘柄の比率を上げ（買い増し）、悪い銘柄の比率を下げる（損切り）というポートフォリオの自動入替え、組入比率の自動維持、代替ポートフォリオを複数用意しておき値下がり時にポートフォリオ毎入替え、「Ａの条件を満たした時点でＢのアクションを実行」というアルゴリズムを含むポートフォリオ自動更新プログラム、などを予め用意しておく。ユーザ２は、所与の投資戦略の１又は２以上を選択して、あるいは個別に詳細な停止条件とアクションの内容を入力することで投資戦略を策定できる。【００５５】
取引データファイル２５は、後述する取引データ取得部４１が、定期的（毎週末など）に、若しくは運用実績を演算する時に、証券会社５の証券取引処理システム６にアクセスして取得した過去の取引データを格納するものである。また、演算に利用する取引データはデータ提供を専門に行う情報提供会社から取得することもできる。なお、何れの場合にも格納する取引データは、直近３年分としたり、典型的な市場環境毎に各１年分とするなどして、データ容量を必要最小限に抑えることが好ましい。【００５６】
ポイントテーブル２６は、例えば、図５に示すように、後述する運用実績演算部３５が演算した投資モデルの運用実績や、被利用回数、購入回数、ユーザ評価受付部３７が取得した他のユーザ２から取得した評価結果に関連して夫々付与されるポイント数を格納するものである。また、各ポイント毎に異なる有効期限を設定しておくこともできる。【００５７】
例えば、他のユーザ２からの評価ポイントとして、１（最低）〜ＳＰ（最高）の６段階の評価に応じて、１〜６のポイントが設定されると共に、ランキング上位の投資モデルや所定期間以上ランクインした投資モデルに対するボーナスポイント（図示せず）も設定される。また、否定的な評価がされた場合には一律で−２ポイントが付与される。【００５８】
また、運用実績ポイントとして、６ヶ月間、１２ヶ月間などの設定期間当たりの投資収益率に応じて、０〜５％未満：５０ポイント、５％〜１０％未満：１００ポイント、１０％〜１５％未満：１５０ポイント、…のように、５段階で設定されている。運用実績は、投資モデルの本質的で最も重要な指標であるため、他のポイントよりも高めに設定するのが好ましい。【００５９】
被利用ポイントは、他のユーザ２によって購入された場合に１０ポイント、他のユーザ２の投資モデルのベースにされた場合に５ポイントが夫々設定されている。【００６０】
対戦ポイントは、後述する対戦モードにおいて、勝敗に関係なく対戦１回当たり経験値として一律２ポイント、所定期間内の運用実績比較で勝った場合に１０ポイント（Ａ）、対戦相手の投資モデルの保有ポイントの１０％（Ｂ：小数点以下切下げ）、上位ランクのモデルに勝った場合のボーナスポイントとして対戦による獲得ポイント（Ａ＋Ｂ）の１０％（Ｃ：小数点以下切下げ）が加算されるように設定される。この結果、登録後間もない投資モデルであっても、上位ランクのモデルと対戦して連勝することで、短期間で上位にランクされるようになる。また、運用実績の差に応じた惜敗率や圧勝率に基づくポイントや、運用実績が所定値以上の場合のポイントも設定されている。【００６１】
一方、上位ランクのモデルは頻繁に対戦を挑まれることになり、上位ランクを維持するには継続的にリニューアルして負けにくい投資モデルを構築していく必要がある。これにより、新しい投資モデルの作成や登録済みのモデルの改訂を促して、投資ゲーム全体を活性化することができる。【００６２】
前記プログラム格納部２７は、インタフェース生成部３１、投資モデル受付部（投資モデル更新手段）３２、投資モデル利用申込受付部３３、投資モデル表示情報出力部３４、運用実績演算部３５、対戦処理部（運用実績比較手段）３６、ユーザ評価受付部３７、ポイント処理部３８、ランキング生成部３９及び投資申込受付・処理部４０を備えている。これらの各機能部は、前記記憶領域（１４、１５）にインストールされたコンピュータソフトウエアプログラム若しくは１つのプログラム中のサブルーチンである。【００６３】
インタフェース生成部３１は、投資モデルの登録申込や投資モデルの利用申込、対戦の申込、ユーザ評価の登録申込を受付けるインタフェースをハイパーテキスト形式で夫々生成してユーザ端末３にネットワーク経由で送信するものである。送信されたインタフェースは、ユーザ端末３のブラウザ機能によって合成表示される。また、本実施形態では、図６に示すように、ランキング生成部３９が生成したポイントランキングを取得して、各インタフェースにこのポイントランキングを表示し、このインタフェースを通じてユーザ端末３から投資モデルの利用申込み等を受付けるものである。【００６４】
この図の例では、全てのポイントを集計した総合ポイントランキングと共に、上位モデルとの対戦に勝利したモデルを投資モデルＤＢ２３から抽出して「今週の注目投資モデル」として表示している。なお、運用実績や被利用実績などの特定の項目毎のランキングや、長期的に安定した運用実績を示すモデル、ランク急上昇の投資モデルなどを個別に表示するようにしてもよい。このようなインタフェースをユーザ２に提供することで、多数の投資モデルの中から、多数のユーザに支持されている人気の投資モデルや、短期的・中期的・長期的な各スパンで高い運用実績を挙げている投資モデルを容易に特定でき、ユーザ２の目的に合致した投資モデルの利用申込や新たなモデルの登録申込を促すことができる。【００６５】
また、投資未経験者などが複雑な投資モデルを作成することは困難であることから、このインタフェース生成部３１は、上記基本投資モデルマスタファイル２４に登録されているモデルポートフォリオやモデル投資戦略を表示したインタフェースを提供して投資モデルの作成をナビゲートする機能を備えるのが好ましい。また、インタフェース生成部３１は、後述する投資モデルの各項目の入力画面（図９、図１１〜図１５）において、設定された条件に従った投資モデルの内容を前記基本投資モデルマスタファイル２４から抽出してグラフなどでビジュアルに表示したインタフェースを生成する機能も備えている。【００６６】
投資モデル受付部３２は、前記インタフェース生成部３１が生成した入力インタフェースを通じて、ユーザ端末３からユーザ２が作成した投資モデルや、既に登録済の投資モデルを修正した更新モデルを取得してユーザのＩＤに関連付けて投資モデルＤＢ２３に格納するものである。新規登録の場合は投資モデルＩＤを付与する。ユーザ２は、図１０以降に示すような各項目の設定画面において、予め用意された項目毎の選択肢のラジオボタンやプルダウンメニューからマウスで選択したり、銘柄などの分散の程度等をカーソルで無段階に近い多数段階で調節するだけで投資モデルを簡単に作成できる。なお、オンラインの特性を活かし、用意された選択肢以外にもユーザ２の希望に合わせ入力条件を追加することができる。【００６７】
また、この投資モデル受付部３２は、投資モデルと共にユーザ端末３から自己の投資モデルのアピール、開発コンセプト、投資指針に関するメッセージなどを取得した場合には、これらの情報も投資モデルＤＢ２３に格納する。このような情報を各種の画面上で投資モデルと共に表示することで、自己の投資モデルの支持獲得の有効なツールとなると共に、投資モデルの優劣を競うユーザ２間のコミュニティの活性化に寄与できる。【００６８】
ここで、本実施形態では、特定の投資モデルの囲い込み等を防止するため、ユーザ２が他の投資モデルの一部を改変したり、全部をそのまま利用して自己の投資モデルを作成する場合は、サーバ１に接続した状態でのみ認めることにしている。そのため、他の投資モデルを利用して作成したかどうかをサーバ１側で全て管理することができるので、このような利用／改変が行われた場合にはユーザ端末３からベースモデルを申告させることなく、ベースモデルのＩＤに関連付けて（枝番を付与して）管理できる。ユーザ２にとっては、自身の投資モデルがベースモデルに関連付けられているので、ベースモデルの運用実績やポイントランキング、作成者などの情報を有利に利用することができる。この投資モデル受付部３２は、ベースモデルＩＤに関連付けられた投資モデルを受付けて登録した場合には、ポイント処理部３８にベースモデルのＩＤを受け渡して被利用ポイントの換算を指示する。【００６９】
投資モデル利用申込受付部３３は、インタフェース生成部３１が生成した利用申込インタフェースを通じて、ユーザ端末３からネットワーク経由で前記投資モデルＤＢ２３に登録された投資モデルの利用申込みを受付けた場合に、申し込みに係る投資モデルのＩＤを投資モデル表示情報出力部３４に送出するものである。【００７０】
ここで、前記のように、投資モデルをユーザ端末に自由にダウンロード（利用）させると、投資モデルの情報を流通させることができない。一方で、実取引を行う場合には投資モデルの詳細をいつでも確認できるようにするのが好ましい。そのため、本実施形態では、利用申込があった場合には、「投資モデルの利用」のうちユーザ端末３での閲覧は無条件で認める（利用条件なし）とともに、改変はサーバ１上でしか行なえないようにパスワードや改変可能期間などの「改変権限情報」を設定することにした。そのため、ユーザ端末３がサーバ１に接続している時だけ投資モデルを改変できることになる。このような特定の投資モデルに対する「改変権限」は前記ユーザマスタファイル２２に登録される。なお、対戦相手として他の投資モデルを利用する場合（対戦を申込んだり、他人の投資モデル同士を対戦させる場合）には利用料金は課金されない。また、ユーザ２が、ランキング上位の投資モデルを閲覧する場合等一定の場合には、閲覧権限や閲覧可能期間などの制限を設定することもできる。【００７１】
また、ユーザＤＢ２２ａへの登録や投資モデルの実取引での利用や改変による新規投資モデルの作成を目的とした他ユーザの投資モデルの利用は有料とし、一部を当該投資モデルの作成者（登録者）に還元するのが好ましい。利用料金は、前記ユーザマスタファイル２２の決済方法に従ってユーザＤＢ２２ａへの登録時（実取引での利用権限情報の登録時、改変権限情報の登録時）、投資モデルＤＢ２３への登録時（新規作成の投資モデルの登録時）、または投資申込受付・処理部４０への申込み受付時に課金される。これにより、高い支持を獲得したモデルの作成者は、実際に投資を行わなくても収入を得ることができるため、より強い投資モデルの作成・改訂を促進することができる。【００７２】
この投資モデルの被利用料は、投資モデル作成者に都度支払わずに蓄積しておき、この投資モデル作成者が将来実投資を行う場合の資金に充当させることもできる。また、被利用料金は、投資モデルの被利用時ではなく、他のユーザがその投資モデルを使って実際に投資を行って投資収益を実現させた場合に支払うようにしてもよい。この場合には、投資モデル被利用時の利用料金の課金に加え、当該実現益の一部を被利用投資モデルの制作者に還元する運用方法を採ることもできる。さらに、このような被利用料金の支払時期や金額の算定式等を投資モデルの作成者に選択させるようにすることもできる。【００７３】
投資モデル表示情報出力部３４は、投資モデル利用申込受付部３３から取得したＩＤに基づいて利用申込に係る投資モデルを投資モデルＤＢ２３から抽出して、投資モデルの複製ファイルを作成し、この投資モデルの利用条件（ログイン情報・閲覧回数・期間等）を当該ユーザ端末にネットワーク経由で送信するものである。ユーザは、受信したログイン情報をユーザ端末からサーバに送信してログインすることで、所望の投資モデルファイルにアクセスして閲覧したり実行できるようになる。【００７４】
例えば、投資モデルを閲覧させる場合は、この投資モデル表示情報出力部３４は、利用条件に含まれる閲覧可能情報（閲覧レベル）に基づいて表示する投資モデルの情報を前記インタフェース生成部３１に指示して表示画面を生成させる。この表示画面は、例えば、後述する図８以降の投資モデル入力画面と同様の画面であるが、投資条件入力用のラジオボタンやコントロールバーなどは操作できない。後述する対戦申込や実投資の場合も同様である。一方、改変や新規登録の場合は、投資モデル入力画面と同様に投資条件入力用のラジオボタン等も操作可能である。なお、一定条件下で投資モデルのダウンロードを認める場合には、前記利用条件と共に前記作成された複製ファイルを当該ユーザ端末のＩＰアドレスに送信する。【００７５】
運用実績演算部３５は、投資モデルＤＢ２３に登録された投資モデルについて、過去及び／若しくは将来の所定期間内における現実の取引市場における取引データに基づいて当該期間内の仮想運用実績を演算するものである。ここで、運用実績演算部３５は、所定周期若しくは運用実績を演算するタイミングで前記証券会社５の証券取引処理システム６から過去の取引データを取得して取引データファイル２５に格納する取引データ取得部４１を備えている。【００７６】
また、運用実績を演算する対象期間は、対戦を申込むユーザ端末３から選択を受付けた場合はその期間であり、対象期間を受付けない場合はデフォルトで設定された期間（例えば、２年前から１年６ヶ月前までの６ヶ月間、現在から前後６ヶ月など）や、乱数表などでランダムに選ばれた任意の期間とする。また、対戦モード以外で所定周期で全ての若しくはランダムに抽出した一部の投資モデルについて運用実績を演算する場合もデフォルト若しくはランダムな期間とする。この場合の運用実績は仮想運用実績ポイントに換算される（図５参照）。【００７７】
さらに、図２で説明したように、ユーザ２が希望する場合には、将来の期間を含む対象期間について仮想運用実績が算出される。【００７８】
対戦処理部３６は、前記インタフェース生成部３１が生成した対戦申込受付画面を通じてユーザ端末３から対戦申込を受付けた場合に、対戦の対象となっている投資モデルについて運用実績の演算を前記運用実績演算部３５に指示すると共に、演算された運用実績を取得して比較することで勝敗を決定し、その対戦結果（勝敗や運用実績の差、惜敗率など）と対戦した投資モデルの情報とをポイント処理部３８に通知するものである。そのため、この対戦処理部３６は、前記投資モデルＤＢ２３に投資モデルを登録したユーザ２の端末３から、ネットワークを介して１以上の他の投資モデルの選択を受付け運用実績の対戦を受付けると共に、このユーザ２がユーザＤＢ２２ａに登録している投資モデルと対戦相手となる投資モデルを投資モデルＤＢ２３から検索し、これらの投資モデルについて運用実績演算部３５に運用実績の演算を指示する対戦申込受付部４２を備えている。また、この対戦処理部３６は、自動対戦モードを実現する機能として、毎月末などの所定周期で前記投資モデルＤＢ２３からランダムに複数の対戦モデルを抽出する対戦モデル抽出部４３を備えている。【００７９】
図７に対戦申込受付画面の例を示す。この図の例では、図６と同様に、右側のビューワ画面に注目モデルやポイントランキングが表示されると共に、対戦相手の投資モデルのＩＤや運用実績を演算する対象期間の指定が入力される。対戦相手の指定は、投資モデルの検索ボタンをクリックして表示される検索画面（図示せず）で作成者名や所属グループ名などの条件で検索したり、ポイントランキングに表示された投資モデルをクリックすることで選択できる。また、対象期間を「指定しない」が選択された場合は、上記のようにデフォルトの期間若しくはランダムに選択された期間が設定される。さらに、元手となる投資資金は予め一律の金額（５００万円等）を設定しておいたり、対戦の都度設定させる。対戦モードにおいては、以上のようにして設定された条件に従って対象期間内での運用実績を競うことになる。【００８０】
対戦方式としては、従来の投資シミュレーションゲームと同様の手法を採用できる。例えば、複数の投資モデルからなるグループを選択して、１対１の戦績によってグループの勝敗を決定するグループ対戦方式や、複数の投資モデル同士を対戦させる複数同時対戦方式、保有ポイントなどに応じてハンディキャップを付けるハンディ戦、同様の戦績同士（未勝利、１０戦以下など）で対戦させる階級戦、異なる期間で運用実績を夫々比較し、所定回数以上上回った方を勝ちとする先勝方式、などを採用できる。このような対戦方式は、対戦を申込むユーザ２（挑戦者）が自由に選択できるようにする。対戦方式毎に付与される戦績ポイントを異ならせてもよい。また、オプション機能として、ゲーム途中で対象期間（時期）を別の期間（時期）にシフトさせる「ワープ機能」、対戦相手及び／若しくは自己の投資モデルの時間遷移速度を速める「トランス機能」、などを設定することもできる。【００８１】
このように、単に投資モデルＤＢ２３に登録するだけではなく、常に他のモデルと比較（対戦）して勝敗（優劣）を決定してランキングしていくことで、ユーザ２に継続的な改訂を促し、投資ゲームを活性化させることができる。【００８２】
また、このような対戦モードというシミュレーターは、ユーザ２（投資家）が実際に意思決定（投資判断等）を行おうとしている時に最も頻繁に利用される可能性が高い。そのような言わば「自己申告」を通じて投資ゲームの参加者全体の投資家心理が浮かび上がる可能性がある。そして、投資には付き物の、自分の思い通りにならない市場を相手にしている無力感や不完全燃焼感を払拭し、投資の意思決定プロセス自体を従来とは全く異なるものに作り変えることにもつながる。【００８３】
一般的に、投資に対する行動変容を促すには「未来予想」ができれば最も望ましいが、未来を予想することは実際には不可能である。そのため、投資の意思決定を行い易くするための何らかの指針が必要になる。上記のように、本実施形態では、投資モデル同士の対戦を通じて、自分の投資モデルの「クセ」は、対戦時点のマーケットにおいて、「相対的に」対戦相手のモデルよりも有利（不利）な傾向がある、ことを明らかにすることができる。【００８４】
そして、このような不特定多数のモデルとの無限回の対戦を経てトップの戦績を誇る投資モデルは、マーケット全体の「クセ」よりも「相対的」に有利、若しくは負けにくい「強いモデル」であることの客観的な証明となり得る。【００８５】
このように、対戦によるシミュレーション結果は近未来の傾向を示す指針として十分機能すると考えられることから、この指針をインタフェース上でビジュアル的・直感的にユーザ２に見せ、これを現実の投資に移行させることで、戦績上位の投資モデルを用いた投資でリスクの低減を図ることが可能になる（負けにくい投資）。そして、従来はアナリストレポートなどの主観的、定性的情報に基づいて行わざるを得なかった投資判断が、各種ランキングや対戦の履歴という、客観的、定量的情報に基づいて行えるようになり、意思決定の納得度を向上させることができる。【００８６】
図４のユーザ評価受付部３７は、前記投資モデルＤＢ２３に登録された投資モデルに対する他のユーザ２からの評価を受付けるものである。この評価は、通常、投資モデルの利用を申し込む時や、現実の投資を行ってある程度の運用結果が出た時などに行われる。ここで、同一のユーザ２から同一の投資モデルに対して複数回評価を受付けたり、本人からの評価を受付けないようにするため、評価受付に際してはユーザ情報と評価対象の投資モデルＩＤとに基づいて認証を行うのが好ましい。また、肯定的な評価だけでなく、否定的な評価も受付けることができる。否定的な評価を受付けた場合はマイナスの評価ポイントが登録されるが、「嫌がらせ」「報復」「個人攻撃」などを考慮して、本実施形態では一律で−２ポイントを設定している(図５参照）。【００８７】
ポイント処理部３８は、対象となる投資モデルについて、前記ポイントテーブル２６を参照して、運用ポイント、被利用ポイント及び評価ポイントを換算・取得して前記ポイントＤＢ２２ｂに登録するものである。【００８８】
具体的には、被利用ポイントについては、ユーザ端末３から購入（利用）申込を受付けた投資モデルに対して、ポイントテーブル２６から抽出した被利用ポイントを前記ポイントＤＢ２２ｂに登録する。また、前記投資モデル受付部３２が受付けて投資モデルＤＢ２３に新規登録した投資モデルについてベースモデルのＩＤも取得した場合には、そのベースモデル（他の投資モデル）に対してポイントテーブル２６から抽出した被利用ポイントを前記ポイントＤＢ２２ｂに登録する。【００８９】
また、戦績ポイントについては、対戦に係る複数の投資モデルについて、対戦結果に基づいて所定の戦績ポイントをポイントテーブル２６から抽出して前記ポイントＤＢ２２ｂに格納する。ここで、運用実績の差や勝者となった相手モデルのランク・保有ポイントなどによって、敗者となった投資モデルにも所定の戦績ポイントを付与するようにしてもよい。【００９０】
次に、評価ポイントについては、前記ユーザ評価受付部３７が他のユーザ２からの評価（肯定と否定）を受付けた場合に、対象モデルについてポイントテーブル２６から抽出した評価ポイントを前記ポイントＤＢ２２ｂに登録する。【００９１】
ランキング生成部３９は、投資モデル毎に被利用ポイント、運用ポイント、戦績ポイント及び評価ポイントを集計して投資モデルＤＢ２３に登録されている投資モデルのポイントランキングを生成して前記インタフェース生成部３１に渡す。また、ポイント換算する前の、運用実績や評価受付件数などのランキングを生成したり、ポイントに通算勝率や経験値（対戦回数）などを乗算したランキングを生成するようにしてもよい。このランキングは、毎週末などの所定周期で集計・生成する他、ユーザ２からリクエストがあった場合にも随時生成される。また、ユーザ端末３からランキングの生成条件を取得するようにしてもよい。【００９２】
投資申込受付・処理部４０は、前記ユーザマスタファイル２２に投資モデルの実取引での利用権限が登録されているユーザの端末３から当該投資モデルを利用した投資の申込を受け付けた場合に、ネットワーク経由で証券会社５の証券取引処理システム６に接続して当該投資モデルとユーザ情報とを伝送して投資を指示するものである。これにより、バーチャルな投資ゲームと実取引とをシームレスでつなぐことができ、投資未経験者であっても客観的な基準に従って自ら優良と判断した投資モデルに従って、投資活動をスムースに開始させることが可能になる。【００９３】
（入力画面）【００９４】
次に、図８〜図１５を参照して、投資モデルの基本項目の入力工程を説明する。
前記図６の入力画面（インタフェース）において、「ポートフォリオ入力」ボタン４５が押下（クリック）されると前記インタフェース生成部３１によって図８のポートフォリオ入力初期画面が生成されてユーザ端末３に表示される。【００９５】
この例では、画面右上の「ＶＩＥＷＥＲ画面」４６に、図６と同様の「注目モデル」や「ポイントランキング」などの情報や、各項目の条件設定に従って、投資モデルの内容が選択的にビジュアルに表示される。また、左側の「ＣＯＮＳＯＬＥ」欄４７の項目毎に上段のコントロールバー４７ａや下段のレーダーチャート４７ｂのカーソルを夫々調整することで、具体的な数値入力によらずに、投資金額や回数、許容リスクなどを設定してポートフォリオを設計できる。このカーソルによる設定条件と「ＶＩＥＷＥＲ画面」４６に表示される情報とは、前記基本投資モデルマスタファイル２４に予め関連付けて格納されており、リアルタイムで連動しているため、ユーザ２は「ＶＩＥＷＥＲ画面」４６で投資モデルの内容を確認しながら各項目を簡単に調整・設定できる。このようにコントロールバー４７ａなどでチューニングする操作を多くし、また一連の操作の結果をビューワ画面４６にグラフなどで表示することで、投資モデルに従って投資した場合にどんな動きが行われるのかが直感的に理解できる操作感を提供する。より詳細な条件設定を希望する場合には、カーソルや右下のポート一覧４８をダブルクリックすることで、図９の銘柄や金額の設定画面を表示させる。【００９６】
図９（ａ）に示すように、複数のタブ４９には、銘柄の属性（上場市場別、優良銘柄等）毎に予め用意された複数のポートフォリオのグループが設定されている。ユーザ２は、銘柄選択のラジオボタンで「ポート全体」を選択したり、「個別銘柄」ボタンを選択した上で、タブ４９中の銘柄をクリックしたり選択銘柄欄にドラッグ・アンド・ドロップすることで特定の銘柄を選択できる。「ポート全体」を選択(クリック）した場合には、表示されているタブ４９のポートフォリオを構成する全ての銘柄が選択される。また、オーダー金額も１回当りの買付金額を指定したり、このポートフォリオや銘柄を購入する総額を指定できる。また、図９（ｂ）のように、買付の金額や回数はカーソルで調整できる。金額の大きい、小さいなどの基準は曖昧であるが、投資に不慣れなユーザ２が明確な金額や回数を決めるのは困難であると推測されるので、このように直感的に理解できる操作感を提供する。【００９７】
一方、図６の入力画面（インタフェース）において、「投資戦略入力」ボタン５０が選択（クリック）されると前記インタフェース生成部３１によって図１０の投資戦略入力初期画面が生成されてユーザ端末３に表示される。【００９８】
この図１０では、左側の「ＣＯＮＳＯＬＥ」欄５１において上段のラジオボタン５１ａや下段のコントロールバー５１ｂで項目毎に条件を設定できる。これらのカーソルや項目名などをダブルクリックすることで、図１１以降の各項目の詳細設定画面に遷移する。選択された条件に従って右側の「ＶＩＥＷＥＲ画面」５２がリアルタイムで連動表示されるのはポートフォリオの設定画面（図８）と同様である。また、図９の画面において既にポートフォリオが設定されている場合には、設定された銘柄等が右下の「ポートフォリオ一覧」５３に表示される。【００９９】
図１１は、売付／買付基本設定画面である。売付／買付を1回の約定で処理する場合には価格変動リスクが高まるが、この画面でオート・コンプリート機能を使用する場合は、ユーザ２はラジオボタンで買付／売付の別を指定し、カーソルを用いて分散の程度を調整することで簡単に時間分散を図ることができる。また、リレーオーダー「あり」を選択し、これに停止条件付きオーダー（後述）などを組み合わせることにより、投資の初期段階から「利益確定の売り」「ロスカット」等をセットしたオーダーが可能になる。図１１（ｂ）のビューワ画面には、設定された分散度などがグラフ表示される。【０１００】
図１２は、投資期間内の買付のタイミング及び金額の設定画面である。この画面では、具体的な金額や時期を入力させるのではなく、図１２（ａ）において投資期間内の基本図形を選択させた上で、凹凸や勾配という視覚的・感覚的に投資条件を無段階で設定させる。ユーザ２は、図１２（ｂ）のビューワ画面を参照しながら、カーソルを操作することで投資条件を直感的に選択・調整できる。【０１０１】
図１３は、執行条件の入力画面である。この例では、処理を単純化させるため一般の指値注文は受付けず、ＶＷＡＰ（売買高加重平均価格）取引を基本とし、成行注文のオプションを付与することにしている。また、注文期限はプルダウンで指定させる。【０１０２】
図１４は、停止条件付きオーダー基本コンテクスト設定画面である。この図において、価格変動が条件として設定された場合には、前記運用実績演算部３５は、個別銘柄の時価と複数銘柄の時価（ポート時価）とを加重平均によって算出する。また、この場合の取得価格は総平均法によって算出し、前回観測地点、前々回観測地点、○○日／○○週／○○月前の任意の時点を基準として演算する。図１４（ｂ）のビューワ画面には、例えば、取得価格との比較で売りの条件（価格差）が視覚的に表示される。【０１０３】
図１５は、チャートを条件として設定する場合の画面例である。この図のような一目均衡表においては、ユーザ２は、図１５（ｂ）のビューワ画面において転換線が基準線を上回っている状態の図中の（Ｘ）及び（Ｙ）の期間は買い時、逆になっている期間は売り時と判断できる。そして、売り／買いのアクションの時期は、例えば、上記状態変化の日の翌日や、変化した状態が一定期間継続した後等を個別に指定できることにする。【０１０４】
（処理フロー）【０１０５】
次に、図１６〜図１８のフローチャートを参照して、本実施形態の処理工程を説明する。なお、以下の説明及び図示においては、投資ゲームにログインする際のユーザ認証や投資ゲームデータの生成・送信などの工程は省略してある。【０１０６】
まず、図１６の投資モデルの新規登録処理においては、前記インタフェース生成部３１が、図６に示したインタフェースを生成してユーザ端末３に表示させて登録受付モードを開始する（ステップＳ１）。投資モデル受付部３２は、インタフェース生成部３１が前記基本投資モデルマスタファイル２４を参照して生成した図６〜図１５の入力画面を通じてポートフォリオ及び投資戦略について各項目毎の条件入力を受付ける（ステップＳ２、Ｓ３）。【０１０７】
投資モデルの全ての項目が入力されると（ステップＳ４のＹｅｓ）、投資モデル受付部３２は入力された内容をユーザ端末３に表示させて確認を取った上で、この投資モデルのＩＤを生成してユーザ識別情報に関連付けて投資モデルＤＢ２３に新規登録する（ステップＳ５）。また、登録された投資モデルのＩＤがユーザ端末３に通知される（ステップＳ６）。【０１０８】
次に、図１７の投資モデル改変フローを説明する。
この処理においては、投資モデル利用申込受付部３３が図６に示す入力画面などを通じてユーザ端末３から改変対象の投資モデルのＩＤを取得し（ステップＳ７）、このＩＤに基づいて投資モデルＤＢ２３から投資モデルを検索する（ステップＳ８）。この時、利用申込に係るユーザ２以外の投資モデルであれば（ステップＳ９のＹｅｓ）、前記ポイント処理部３８に対して被利用ポイント（ベースポイント）の登録が指示される（ステップＳ１０）。自己の投資モデルであればこの工程はスキップされ（ステップＳ９のＮｏ）、投資モデル利用申込受付部３３が投資モデルの改変情報を受付ける（ステップＳ１１）。改変情報の受付処理や入力画面は、投資モデルの新規登録と同様である。なお、改変の申込に際して、ポートフォリオや投資戦略の一部の項目だけの改変か、全ての項目に対する改変か、を選択させるようにし、この選択に応じて、被利用ポイントを異ならせてもよい。【０１０９】
全ての改変情報が入力された場合（ステップＳ１２のＹｅｓ）、投資モデル受付部３２がユーザ端末３から、改変した投資モデルを新規に登録するか、登録された自己の投資モデルの更新として登録するかの選択を受付ける（ステップＳ１３）。新規登録が選択された場合は（ステップＳ１３の「新規」）、このユーザ２について登録可能件数を超えていないかに基づいて投資モデルの新規登録可否が判別される（ステップＳ１４）。登録可の場合は（ステップＳ１４のＹｅｓ）、投資モデルＩＤが付与されて投資モデルＤＢ２３に登録される（ステップＳ１５）。この時、前記ステップＳ９においてベースモデルがあった場合には、このベースモデルのＩＤに枝番を付したＩＤが生成される。登録されたＩＤはユーザ端末３に通知される（ステップＳ１６）。【０１１０】
一方、前記ステップＳ１３で「更新」が選択された場合は、投資モデルＤＢ２３からこのユーザ２について登録されている投資モデルを全て抽出し、更新対象の投資モデルの選択を受付ける（ステップＳ１７）。最後に、選択された更新対象の投資モデルを改変されたモデルで更新し、ユーザ端末３に対象モデルのＩＤと共に「更新済」を通知する（ステップＳ１８、Ｓ１９）。【０１１１】
次に、図１８を参照して、対戦モードの処理工程を説明する。この処理は、図６に符号５５で示す「対戦する」ボタンが押下されることで開始される。【０１１２】
まず、インタフェース生成部３１が生成した図７の対戦モード受付画面を通じて、前記対戦申込受付部４２が、ユーザ端末３から対戦相手の投資モデルの選択を受付ける（ステップＳ２０）。対戦相手の選択は、対戦申込画面のポイントランキングの表示欄で特定の投資モデルの選択を直接受付けたり、検索条件を設定して抽出したり、「自動選択」ボタンをクリックして前記対戦モデル抽出部４３によってランダムに抽出させることもできる。【０１１３】
次いで、ユーザ端末３から運用実績を演算する対象期間が指定された場合は（ステップＳ２１のＹｅｓ）、その期間をメモリに登録し（ステップＳ２２）、指定されない場合は（ステップＳ２１のＮｏ）、デフォルトで設定された特定のまたは乱数表などでランダムに選ばれた任意の期間をメモリに登録する（ステップＳ２３、Ｓ２２）。期間が登録されると、運用実績演算部３５が起動して当該期間内の取引データを取引データファイル２５から取得して対戦対象の複数の投資モデルについて運用実績を夫々演算する（ステップＳ２４、Ｓ２５）。この時、運用実績演算部３５からの指令により前記取引データ取得部４１がこの期間における取引データを証券会社５の証券取引処理システム６等から取得して取引データファイル２５に格納するようにしてもよい。【０１１４】
対戦処理部３６は、演算された運用実績を比較して投資モデルの勝敗を決定し（ステップＳ２６）、この勝敗と各投資モデルのＩＤとをポイント処理部３８に通知する。【０１１５】
ポイント処理部３８は、対象投資モデルを夫々特定し、前記ポイントテーブル２６を参照して夫々の投資モデルの戦績ポイントを算出する（ステップＳ２７）。この時、敗者となった投資モデルの保有ポイントの１０％を加算すると共に、それが上位ランクモデルであればさらにボーナスポイントを加算する。また、全ての投資モデルに経験値として一律の対戦ポイントを付与する。最後に、これらの戦績ポイントをポイントＤＢ２２ｂに格納してこの処理を終了する（ステップＳ２８）。【０１１６】
以上のような構成により、本実施形態の発明は以下の効果を奏する。
他人が作成した投資モデルがＷｅｂサイト上で入手でき、自分なりに加工・改変を加えることができる。特に、多数のユーザから支持されている人気の投資モデルや、高い運用実績を挙げている投資モデルをそのまま利用することができるので、投資経験の少ないユーザであっても、投資経験や知識を蓄積したのと同様の効果が得られる。【０１１７】
また、投資モデルの利用を有償にすることで、人気の（儲かりそうな、損をしなさそうな）投資モデルの作成者は、自ら投資を行わなくとも収入を得ることが出来る。投資経験がない（少ない）者が作成した投資モデルでも、先入観に邪魔されない新鮮な発想で大きな人気を博することも考えられる。一方で一時的に人気を得ることはあっても、継続的に結果を出さない投資モデルは「机上の空論」とみなされて自然に淘汰されていくと考えられる。そのため、作成者自身も、運用益を得るためではなく、投資感覚を維持・向上させるために（投資モデルの作成・見直しの目的で）、ある程度の投資を継続的に行うことが期待される。また、無名の投資モデル作成者は、自らそのモデルを実行して結果を出すことで、そのモデルと自分自身の知名度や信用を蓄積していく必要がある。【０１１８】
従って、投資モデルの利用者だけでなく、作成者自身も投資活動を行うことが十分期待でき、投資家層の拡大と、取引市場の活性化に寄与できる。【０１１９】
「投資モデル」の受け渡しや加工・改変は投資モデル管理サーバ１上でしかできないようにすることで、投資モデルの囲い込み（秘匿）を防止でき、ユーザ全員に原因（投資モデル）と結果（運用結果）の情報や体験を共有させることができる。これにより、難しい投資教育によらず、実際の取引経験・情報を通じた投資家層全体のレベルアップを図ることができる。【０１２０】
バーチャルなゲーム環境から、ワンクリックで実取引の実行に移行できるため、投資に対する手続的・精神的な障壁を除去でき、投資を身近な存在に感じさせることができる。【０１２１】
また、証券会社にとっては、個人投資家層の大幅な増加が期待でき、証券取引の活発化により証券手数料や口座維持料などの収益増が図れる。【０１２２】
（変形例）【０１２３】
本発明は上記した実施形態に限られず、種々の変形が可能である。
例えば、投資モデルの作成方法、ポイントの付与方法、ランキングの生成方法、対戦モードの方式などは上記した例に限定されない。【０１２４】
また、上記の実施形態では、投資シミュレーションゲームを提供する事業者と証券会社とが連携している例を説明したが、他の事業者と提携することも可能である。
例えば、携帯電話サービスを提供する通信キャリアと提携し、ユーザ２の投資モデルの獲得ポイントや仮想運用実績に応じて、このユーザ２の携帯電話の通話料の一部を割り引くようにしてもよい。また、ユーザ２の通話料をポイント換算して、そのユーザ２の投資モデルのポイントに加算してもよい。【０１２５】
また、オプションとして、複数銘柄の中から最も値上り率の高い銘柄を当てること、或いは日経平均の変化（値上り、中立、値下がり）を当てること、を目的としたカバード・ワラントを利用し、その投資結果に応じて個人ポイントを付与してランキングするようにしてもよい。上記のカバード・ワラントを用いた投資は宝くじ（LOTTO）の感覚で気軽に投資を行えるメリットがある。この場合には、投資モデルを登録していないユーザでも参加できる。
【産業上の利用可能性】
【０１２６】
本発明は、ネットワークを利用した投資シミュレーションゲームや実際の投資を行うシステムに適用可能である。【０１２７】
以上、本発明を実施例により詳細に説明したが、当業者にとっては、本発明が本願中に説明した実施例に限定されるものではないということは明らかである。本発明は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【図１】
2006085460.tif 000002
【図２】
2006085460.tif 000003
【図３】
2006085460.tif 000004
【図４】
2006085460.tif 000005
【図５】
2006085460.tif 000006
【図６】
2006085460.tif 000007
【図７】
2006085460.tif 000008
【図８】
2006085460.tif 000009
【図９】
2006085460.tif 000010
【図１０】
2006085460.tif 000011
【図１１】
2006085460.tif 000012
【図１２】
2006085460.tif 000013
【図１３】
2006085460.tif 000014
【図１４】
2006085460.tif 000015
【図１５】
2006085460.tif 000016
【図１６】
2006085460.tif 000017
【図１７】
2006085460.tif 000018
【図１８】
2006085460.tif 000019
【国際調査報告】
2006085460.tif 000020
2006085460.tif 000021
2006085460.tif 000022
2006085460.tif 000023